(57)【要約】【課題】  視覚表示のみならずスピーカー等からの発音によっても広告を伝えるようにする。【解決手段】  画像形成装置を使用するユーザーを登録するユーザー登録手段と、画像形成装置において広告を行う広告提供者を登録する広告提供者登録手段と前記広告提供者が広告データを登録する広告データ登録手段と、画像形成装置を使用するユーザーが前記ユーザー登録手段によって登録されたユーザーであるか否かを認証するユーザー認証手段と、広告データを画像形成装置に出力する広告データ出力手段と、画像形成装置からの印刷ログを受信しその印刷ログに基づいてコピー料金と広告料金を算出する課金計算手段とを有することを特徴とする。【選択図】      図１
2005085044.tif 000002
【特許請求の範囲】
【請求項１】
画像形成装置とネットワークとを介して互いに接続された課金装置であって、
前記画像形成装置を使用するユーザーを登録するユーザー登録手段と、
前記画像形成装置において広告を行う広告提供者を登録する広告提供者登録手段と、
前記登録された広告提供者が広告データを登録する広告データ登録手段と、
前記画像形成装置を使用するユーザーが前記ユーザー登録手段によって登録されたユーザーであるかどうかを認証するユーザー認証手段と、
前記広告データを前記画像形成装置に出力する広告データ出力手段と、
前記画像形成装置からの印刷ログを受信しその印刷ログに基づいてコピー料金と広告料金とを算出する課金計算手段とを有することを特徴とする課金装置。
【発明の詳細な説明】
【技術分野】
【０００１】
本発明は、課金装置に関するものである。
【背景技術】
【０００２】
従来、コピーショップなどを利用してコピーを行う場合、記録紙上の印刷を行わない部分に対して広告を印刷し、ユーザーのコピー料金をする軽減するといった提案がなされている。
【発明の開示】
【発明が解決しようとする課題】
【０００３】
しかしながら上記従来例では、広告が印刷されることにより原稿の見栄えが悪くなってしまったり、広告分のインクやトナーが無駄になってしまったり、盲目者や色弱者に対しては広告効果がない等の問題点があった。
本発明は、上記の問題点を解決するためになされたもので、本発明の目的は音声によっても広告を伝えることを可能とするものである。
【課題を解決するための手段】
【０００４】
上記目的を達成するため、本出願に係る発明は、画像形成装置とネットワークをと介して互いに接続された課金装置であって、前記画像形成装置を使用するユーザーを登録するユーザー登録手段と、前記画像形成装置において広告を行う広告提供者を登録する広告提供者登録手段と、前記登録された広告提供者が広告データを登録する広告データ登録手段と、前記画像形成装置を使用するユーザーが前記ユーザー登録手段によって登録されたユーザーであるかどうかを認証するユーザー認証手段と、前記広告データを前記画像形成装置に出力する広告データ出力手段と、前記画像形成装置からの印刷ログを受信しその印刷ログに基づいてコピー料金と広告料金とを算出する課金計算手段とを有することを特徴とする。
【発明の効果】
【０００５】
以上説明したように、本発明によれば音声によっても広告を行えることにより、原稿の見栄えを保ったままコピー料金の軽減できるという効果がある。また、広告分のインクやトナーが節約できるという効果がある。さらに、盲目者や色弱者に対しても広告効果が得られるという効果がある。
【発明を実施するための最良の形態】
【０００６】
以下添付図面を参照しながら、本発明に係る好適な実施の形態を詳細に説明する。
（第１の実施の形態）
図１は、本実施の形態によって構成したネットワークシステムである。
図中の200はインターネット通信網である。201はウェブサーバであり、インターネット200上に接続され、インターネットユーザーに特定のサービスを提供する。204は個人ユーザーの端末とインターネット200との接続処理を行うサービスプロバイダである。
【０００７】
203はファイアーウォールであり、これにより下に図示したＬＡＮ2011内部と外部通信網（インターネット200）とを接続し、セキュリティー管理などを行う。210は画像形成装置220の課金管理を行う課金装置である。211はファイルサーバであり、ＬＡＮ2011で接続された複数のユーザーがデータを共有することができる。
【０００８】
220はデジタル複写機などの画像形成装置であり、主に画像の入出力機能を有する。この画像形成装置220において、140はユーザーが各種の操作を行うための操作部、10は操作部140や情報処理装置212からの指示にしたがって画像を読み取るためのイメージスキャナ、20は情報処理装置212やファイルサーバ211からのデータを用紙に印刷するプリンタである。
【０００９】
30はコントローラユニットであり、操作部140や情報処理装置212からの指示に基づいてスキャナ10、プリンタ20に対する画像データの入出力の制御を行う。
【００１０】
例えば、スキャナ10が取り込んだ画像データをコントローラ内部のメモリに蓄積したり、情報処理装置212に出力したり、あるいはプリンタ20で印刷するなどの制御を行う。
【００１１】
212は端末装置として接続された情報処理装置である。インターネット200を介してウェブサーバ201から提供された情報を閲覧したり、画像データを画像形成装置220に出力したりすることができる。
【００１２】
なお、上記構成はインターネットにファイアーウォール203を介してＬＡＮ2011が接続されている構成となっているが、サービスプロバイダ204を介してファイアーウォールが接続される構成でもかまわない。
【００１３】
本実施の形態における画像形成装置220の外観を図２に示す。
画像入力デバイスであるスキャナ部10は、原稿画像をランプにより照射し、CCDラインセンサ(図示せず)で読み取り、電気信号に変換することで画像データとしての処理を行う。
【００１４】
原稿用紙を原稿フィーダ142にセットし、装置使用者が操作部140から読み取り起動指示することにより、フィーダ142は原稿用紙を１枚ずつフィードし原稿画像の読み取り動作を行う。
【００１５】
画像出力デバイスであるプリンタ部20は、画像データを用紙上の画像に変換する部分であり、本実施の形態では、感光体ドラムや感光体ベルトを用いた電子写真方式により画像変換する処理を説明を行うが、微少ノズルアレイからインクを吐出して用紙上に直接画像を印字するインクジェット方式等により画像変換される処理であっても構わない。
【００１６】
プリント動作の起動は、装置内部のコントローラ（後述）からの指示によって開始する。プリンタ部20には、異なる用紙サイズまたは異なる用紙向きを選択できるように複数の給紙段を持ち、それに対応した用紙カセット122、124、142、144がある。また、画像形成された用紙は排紙トレイ132上に排出される。
【００１７】
図３は本発明の画像形成装置の内部構成を説明する断面図である。図面を用いて動作の詳細を説明する。
101は原稿台ガラスであり、原稿自動送り装置142から給送された原稿が順次、所定位置に載置される。102は例えばハロゲンランプから構成される原稿照明ランプで、原稿台ガラス101に載置された原稿を露光する。
【００１８】
103、104、105は走査ミラーであり、図示しない光学走査ユニットに収容され、往復運動しながら、原稿からの反射光をＣＣＤユニット106に導く。ＣＣＤユニット106はＣＣＤに原稿からの反射光を結像させる結像レンズ107、例えばＣＣＤから構成される撮像素子108、撮像素子108を駆動するＣＣＤドライバ109等から構成されている。
【００１９】
撮像素子108からの画像信号出力は例えば８ビットのデジタルデータに変換された後、コントローラユニット30に入力される。また、110は感光ドラムであり、112の前露光ランプによって画像形成に備えて除電される。113は１次帯電器であり、感光ドラム110を一様に帯電させる。
【００２０】
117は露光手段であり、例えば半導体レーザー等で構成され、画像形成や装置全体の制御を行うコントローラユニット30で処理された画像データに基づいて感光ドラム110を露光し、静電潜像を形成する。
118は現像器であり、黒色の現像剤（トナー）が収容されている。119は転写前帯電器であり、感光ドラム110上に現像されたトナー像を用紙に転写する前に高圧をかける。
【００２１】
120、122、124、142、144は給紙ユニットであり（120は手差し給紙ユニット）、各給紙ローラ121、123、125、143、145の駆動により、転写用紙が装置内へ給送され、レジストローラ126の配設位置で一旦停止し、感光ドラム110に形成された画像との書き出しタイミングがとられ再給送される。
【００２２】
127は転写帯電器であり、感光ドラム110に現像されたトナー像を給送される転写用紙に転写する。128は分離帯電器であり、転写動作の終了した転写用紙を感光ドラム110より分離する。転写されずに感光ドラム110上に残ったトナーはクリーナー111によって回収される。
【００２３】
129は搬送ベルトで、転写プロセスの終了した転写用紙を定着器130に搬送し、例えば熱により定着される。131はフラッパであり、定着プロセスの終了した転写用紙の搬送パスを、ソーター132または中間トレイ137の配置方向のいずれかに制御する。
【００２４】
また、133〜136は給送ローラであり、一度定着プロセスの終了した転写用紙を中間トレイ137に反転（多重）または非反転（両面）して給送する。138は再給送ローラであり、中間トレイ137に載置された転写用紙を再度、レジストローラ126の配設位置まで搬送する。
【００２５】
30のコントローラユニットには後述するマイクロコンピュータ、画像処理部等を備えており、マンマシンインターフェース装置140からの指示に従って、前述の画像形成動作を行う。
【００２６】
操作部140の構成を図４に示す。LCD表示部1032は、LCD上にタッチパネルシートが貼られており、システムの操作画面を表示するとともに、表示してあるキーが押されるとその位置情報をコントローラユニット30に伝える。図５を用いて後述する。
【００２７】
テンキー1028はコピー枚数など、数字の入力時に使用する。スタートキー1029は原稿画像の読み取り動作を開始する時などに用いる。ストップキー1030は稼働中の動作を止めるときに使用する。リセットキー1031は操作部からの設定を初期化する時に用いる。
【００２８】
また、1023はガイドキーであり、キーの機能が解らないとき押すとそのキーの説明が表示される。1024はコピーモードキーであり、複写を行うときに押す。1025はファクスキーであり、ファクスに関する設定を行うときに押す。1026はファイルキーであり、ファイルデータを出力したいときに押す。1027はプリンタキーであり、コンピュータ等の外部装置からのプリント出力に関する設定などを行うときに使用する。
【００２９】
1033は、音声ガイドキーであり、音声によるガイドを行なうときに、キーを押下して設定を行い、設定をオフにする場合には再度、押下して設定を解除することができる。
1034はスピーカーで、音声によるガイドがスピーカーを通して出力する。1035はハンドセットであり、これを使用して音声を入力したり、音声ガイドを聞いたりすることができる。
【００３０】
図５は、操作パネル140のLCD表示部に表示される基本画面である。
1001は拡張機能キーであり、このキーを押すことによって両面複写、多重複写、移動、とじ代の設定、枠消しの設定等のモードに入る。1002は画像モードキーであり、複写画像に対して網掛け、影付け、トリミング、マスキングを行うための設定モードに入る。
【００３１】
1003はユーザーモードキーであり、モードメモリの登録、標準モード画面の設定がユーザーごとに行える。1004は応用ズームキーであり、原稿のＸ方向、Ｙ方向を独立に変倍するモード、原稿のサイズと複写サイズから変倍率を計算するズームプログラムのモードに入る。
【００３２】
1005、1006、1007はＭ１キー、Ｍ２キー、Ｍ３キーであり、それぞれのモードメモリを呼び出す際に押す。1008はコールキーであり、前回設定されていた複写モードを呼び出す際に押す。1009はオプションキーであり、フィルムから直接複写するためのフィルムプロジェクター等のオプション機能の設定を行う。
【００３３】
1010はソーターキーであり、ソート出力、グループ出力等のモード設定を行う。1011は原稿混載キーであり、原稿フィーダにＡ４サイズとＡ３サイズ、またはＢ５サイズとＢ４サイズの原稿を一緒にセットする際に押す。
【００３４】
1012は等倍キーであり、複写倍率を100％にする際に押す。1014、1015はそれぞれ縮小キー、拡大キーであり、定形の縮小、拡大を行う際に押す。1016はズームキーであり、１％刻みで非定形の縮小、拡大を行う際に押す。
【００３５】
1013は用紙選択キーであり、複写用紙の選択を行う際に押す。1018、1020は濃度キーであり、1018を押すごとに濃く複写され、1020を押すごとに薄く複写される。1017は濃度表示であり、濃度キーを押すと表示が左右へ変化する。
【００３６】
1019はＡＥキーであり、新聞のように地肌の濃い原稿を自動濃度調整複写するときに押す。1021はＨｉＦｉキーであり、写真原稿のように中間調の濃度が多い原稿の複写の際に押す。1022は文字強調キーであり、文字原稿の複写で文字を際立たせたい場合に押下する。
【００３７】
図６は画像形成装置におけるスキャナ10、プリンタ20の構成を示すブロック図である。
751はスキャナ10全体の制御を行うCPUであり、制御プログラムを記憶した読み取り専用メモリ753（ROM）からプログラムを順次読み取り、実行する。
CPUのアドレスバス、データバスはバスドライバー、アドレスデコーダ752からなる回路を介して各負荷に接続されている。また、コントローラユニット30のCPUと接続され、通信を行う。
【００３８】
754は、入力データの記憶や作業用記憶領域等として用いる主記憶装置としてのランダムアクセスメモリ(RAM)である。755はI/Oインターフェースであり、給紙系、搬送系、光学系の駆動を行なうモーター類756、ランプ類757、また、搬送される用紙を検知する紙検知センサ類758等の装置の各負荷に接続される。
また、CCDユニット106により読み込まれた画像データは、コントローラ30に転送される。
【００３９】
次に、701はプリンタ20の制御を行うＣＰＵであり、制御手順（制御プログラム）を記憶した読み取り専用メモリ703（ＲＯＭ）からプログラムを順次読み取り、実行する。ＣＰＵ701のアドレスバスおよびデータバスは702のバスドライバー回路、アドレスデコーダ回路を経て各負荷に接続されている。
【００４０】
また、704は入力データの記憶や作業用記憶領域等として用いる主記憶装置であるところのランダムアクセスメモリ（ＲＡＭ）である。705はＩ／Ｏインターフェースであり、給紙系、搬送系、光学系の駆動を行うモーター類707、クラッチ類708、ソレノイド類709、また、搬送される用紙を検知するための紙検知センサ類710等の装置の各負荷に接続される。
【００４１】
現像器118には現像器内のトナー量を検知する711のトナー残検センサが配置されており、その出力信号がＩ／Ｏポート705に入力される。715は高圧ユニットであり、ＣＰＵ701の指示に従って、前述の１次帯電器113、現像器118、転写前帯電器119、転写帯電器127、分離帯電器128へ高圧を出力する。
【００４２】
ＣＣＤユニット106から出力された画像信号はコントローラユニット30により、後述する画像処理を行い、画像データに従って117のレーザーユニットの制御信号を出力する。レーザーユニット117から出力されるレーザー光は感光ドラム110を照射し、露光するとともに非画像領域において受光センサであるところの713のビーム検知センサによって発光状態が検知され、その出力信号がＩ／Ｏポート705に入力される。
【００４３】
コントローラユニット30の構成図を図７に示す。コントローラユニット30は画像入力デバイスであるスキャナ10や画像出力デバイスであるプリンタ20と接続し、一方ではLAN2011や公衆回線(WAN)2051接続することで、画像情報やデバイス情報の入出力を行う為のコントローラである。
【００４４】
CPU2001はシステム全体を制御するコントローラである。RAM2002はCPU2001が動作するためのシステムワークメモリであり、画像データを一時記憶するための画像メモリでもある。ROM2003はブートROMであり、システムのブートプログラムが格納されている。
【００４５】
HDD2004はハードディスクドライブで、システムソフトウェア、画像データ、広告音声データ、広告画像データなどを格納する。操作部I/F2006は操作部(UI)140とのインターフェース部で、操作部140に表示する画像データを操作部140に対して出力する。
【００４６】
また、操作部140から本システム使用者が入力した情報を、CPU2001に伝える役割をする。NIC2010はLAN2011に接続し、情報の入出力を行う。Modem2050は公衆回線2051に接続し、情報の入出力を行う。音声入出力ユニット2100は音声をスピーカーに対して出力したり、ハンドセットに対して、音声出力したり、音声入力するための制御を行なう。スキャナ、プリンタ通信I/F2006はスキャナ１０、プリンタ20のCPUとそれぞれ通信を行なうためのI/Fである。以上のデバイスがシステムバス2007上に配置される。
【００４７】
Image Bus I/F2005はシステムバス2007と画像データを高速で転送する画像バス2008を接続し、データ構造を変換するバスブリッジである。画像バス2008は、PCIバスまたはIEEE1394で構成される。画像バス2008上には以下のデバイスが配置される。
【００４８】
ラスターイメージプロセッサ(RIP)2060はPDLコードをビットマップイメージに展開する。デバイスI/F部2020は、画像入出力デバイスであるスキャナ10やプリンタ20とコントローラ30を接続し、画像データの同期系/非同期系の変換を行う。
【００４９】
スキャナ画像処理部2080は、入力画像データに対し補正、加工、編集を行う。プリンタ画像処理部は、プリント出力画像データに対して、プリンタの補正、解像度変換等を行う。画像回転部2030は画像データの回転を行う。画像圧縮部2040は、多値画像データはJPEG、2値画像画像データはJBIG、MMR、MHの圧縮伸張処理を行う。
【００５０】
図８は課金装置（課金サーバ）210の動作を表すフローチャートであり、この図を参照して課金装置２１０の動作・機能を説明する。
課金装置２１０は、ユーザー登録機能、広告提供者登録機能、広告データ登録機能、ユーザー認証機能、広告データ出力機能、課金処理機能の各機能を有しており、それぞれ並列処理が可能である。
【００５１】
ユーザー登録機能は、ユーザーの認証を行うためにユーザーIDとそのパスワードを登録する機能であり、これはユーザーが原稿のコピーに先立ちユーザー端末からWWWブラウザなどを利用して課金装置210にアクセスしユーザー登録を行うことで実行される(S301,S302)。
【００５２】
なお、ユーザー端末は、LAN2011に接続されている情報処理装置212やサービスプロバイダ204の先に接続されている情報処理装置212など特に限定されない。
【００５３】
広告提供者登録機能は、広告提供者の認証を行うためにユーザーIDとそのパスワードを登録する機能であり、これは広告提供者が広告データの登録に先立ち広告提供者の端末からWWWブラウザなどを利用して課金装置210にアクセスし広告提供者登録を行うことで実行される(S303,S304)。
【００５４】
なお、広告提供者端末もLAN2011に接続されている情報処理装置212やサービスプロバイダ204の先に接続されている情報処理装置212など特に限定されない。
【００５５】
広告データ登録機能は、画像形成装置220において印刷すべき印刷広告データあるいは音声出力すべき音声広告データを図示しない記憶装置に格納する機能であり、広告提供者が端末からWWWブラウザなどを利用して課金装置210にアクセスし広告データ登録を行うことで実行される(S305)。
この際、課金装置210は広告データ登録にあたり広告登録者認証を行い認証ＯＫである場合に広告データを記憶装置に格納する(S306,S307)。認証ＮＧの場合は、記憶装置に格納せず広告データ登録不可を通知する(S308)。
【００５６】
ユーザー認証機能は、ユーザー認証データが入力されたらユーザー認証データ内のユーザーIDとパスワードをチェックしユーザー認証を行う(S309,S310)。ここで認証に失敗した場合はユーザーに対してコピー不可を通知する(S311)。認証に成功した場合はコピー許可を通知する(S312)。
広告データ出力機能は、広告データの要求があった場合に広告データを出力する機能である(S313,S314)。
【００５７】
課金処理機能は、課金処理を行う機能であり、コピー枚数やユーザーID、広告の有無などの情報が含まれている印刷ログを受信し、その印刷ログの情報から課金計算を行い、ユーザーに対してはコピー料金を請求し、広告提供者に対しては広告料金を請求するものである(S315,S316,S317)。
【００５８】
図９は画像形成装置220の本発明に関係する主な動作動作を表すフローチャートであり、この図を参照して画像形成装置220の本発明に関係する動作・機能を説明する。
画像形成装置220は本発明に関係して、ユーザー認証データ入出力機能、広告データ取得機能、広告音声出力機能、広告伝達確認機能、印刷広告追加機能、印刷機能、印刷ログ発行機能の各機能を有している。
【００５９】
ユーザー認証データ入出力機能は、課金装置210で認証するためのユーザーIDとパスワードを操作部あるいはヘッドセットから入力し、これら認証データを課金装置に出力するための機能である(S401,S402,S403)。
広告データ取得機能は、ユーザーから広告出力指示があった場合に課金装置210に対して広告データを要求しこれを取得する機能である(S405,S406,S407)。
【００６０】
広告音声出力機能は、ユーザーから音声広告指示があった場合に前記課金装置210から取得した音声広告データを用いて広告情報を音声出力する機能である(S408,S409)。
広告伝達確認機能は、前記音声広告がユーザーに伝達されたことを確認する機能で、広告の音声出力に前後して任意のキーワードを音声出力し、ユーザーにそのキーワードの入力を要求し、これを認証する(S410,S411)。
【００６１】
印刷広告追加機能は、原稿の余白部分に広告情報を追加する機能であり、ジョブチケットに広告印刷指示があった場合に印刷ジョブに含まれる印刷広告データを用いて広告を追加する(S412,S413)。
印刷機能は、原稿をスキャナ10でスキャンし、そのスキャンした画像データもしくは広告が追加された画像データをプリンタ20で印刷する機能である(S414)。
【００６２】
印刷ログ発行機能は、印刷ログを発行する機能であり、この印刷ログには、ユーザーID、音声広告の有無、印刷広告の有無、コピー枚数、用紙サイズ、カラー印刷かどうか等の印刷情報が含まれている(S415)。
【００６３】
図１０は、課金装置210、画像形成装置220がネットワークを介して互いに接続された印刷システムの処理シーケンスの一例を示す図である。この例ではユーザーが原稿のコピー時に音声広告指示を行った場合の処理シーケンスであり、順を追って説明する。
【００６４】
S5101,S5201：ユーザーは課金装置210に対してユーザー登録を行う。
S5401,S5202：広告提供者は課金装置210に対して広告提供者登録を行う。
S5402,S5203,S5204：広告提供者は課金装置210に対して広告データの登録を行う。
【００６５】
S5301：ユーザーはコピーする際に画像形成装置220の操作部あるいはヘッドセットからからユーザーIDとパスワードを入力する。画像形成装置220は入力されたこのユーザー認証データを課金装置210に送信する。
S5205：課金装置210はユーザー認証データを受信し、ユーザー認証を行う。
S5206：ユーザー認証が正しい場合は、画像形成装置220に対してコピー許可を発行する。
【００６６】
S5302：ユーザーは画像形成装置220の操作部あるいはヘッドセットから音声広告出力指定を入力する。
S5303：画像形成装置220は課金装置210に対して広告データを要求する。
S5207：課金装置210は広告データを出力する。
S5304：画像形成装置220は広告データを受信し、それを音声出力する。
S5305：画像形成装置220は任意のキーワードを音声出力する。
S5306：ユーザーがこのキーワードを操作部あるいはヘッドセットから入力すると、画像形成装置220はこれを認証する。
【００６７】
S5307：画像形成装置220はコピーする原稿をスキャンしこれをプリントする。
S5308：画像形成装置220は印刷ログを課金装置210に出力する。
S5208：課金装置210は印刷ログを受信し、課金計算を行う。
S5209：課金計算結果に基づきユーザーにはコピー料金請求を、広告提供者には広告料金をそれぞれ請求する。
S5102：ユーザーはコピー料金を支払う。
S5403：広告提供者は広告料金を支払う。
【００６８】
このように音声によっても広告を行うことが可能になれば、原稿の見栄えを保ったままコピー料金の軽減ができ、また広告分のインクやトナーが節約され、さらに、盲目者や色弱者に対して広告効果が得られるようになる。
【００６９】
（その他の実施の形態）
上記第１の実施の形態では、ユーザー登録をユーザー端末から行うとしたが、これに限定されるものではなく、画像形成装置220の操作部等からのユーザー登録でもよい。また、同様に広告提供者登録もこれに限定されない。
さらに、広告データは課金装置210に格納したが、これに限定されるものではなく、画像形成装置220内の記憶装置部やファイルサーバ等でもよい。
【００７０】
以下、本発明の特徴を付記する。
（附記１）画像形成装置とネットワークとを介して互いに接続された課金装置であって、前記画像形成装置を使用するユーザーを登録するユーザー登録手段と、前記画像形成装置において広告を行う広告提供者を登録する広告提供者登録手段と、前記登録された広告提供者が広告データを登録する広告データ登録手段と、前記画像形成装置を使用するユーザーが前記ユーザー登録手段によって登録されたユーザーであるかどうかを認証するユーザー認証手段と、前記広告データを前記画像形成装置に出力する広告データ出力手段と、前記画像形成装置からの印刷ログを受信しその印刷ログに基づいてコピー料金と広告料金とを算出する課金計算手段とを有することを特徴とする課金装置。
【００７１】
（附記２）前記ユーザー認証手段はユーザーIDとパスワードによって認証することを特徴とする附記１記載の課金装置。
【００７２】
（附記３）課金装置とネットワークとを介して互いに接続された画像形成装置であって、
前記課金装置においてユーザー認証を行うためのユーザー認証データを入力するための認証データ入力手段と、
ユーザーによる広告指示があった場合に広告を行う広告実行手段と、
コピー枚数やユーザーID、広告の有無などの情報が含まれている印刷ログを発行する印刷ログ発行手段とを有することを特徴とする画像形成装置。
【００７３】
（附記４）前記ユーザーによる広告指示が音声広告指示である場合に、広告を音声出力する広告音声出力手段を有することを特徴とする附記３記載の画像形成装置。
【００７４】
（附記５）前記ユーザーによる広告指示が音声広告指示である場合に、前記音声広告がユーザーに伝わったことを確かめる広告伝達確認手段を有することを特徴とする附記３および４記載の画像形成装置。
【００７５】
（附記６）前記広告伝達確認手段は、音声出力によるキーワードとその認証とによることを特徴とする附記５記載の画像形成装置。
【００７６】
（附記７）前記ユーザーによる広告指示が広告印刷指示である場合に、広告を印刷する広告印刷手段を有することを特徴とする附記３記載の画像形成装置。
【００７７】
（附記８）前記広告を印刷する際に、原稿の余白部分に前記広告を印刷することを特徴とする附記７記載の画像形成装置。
【００７８】
（附記９）課金装置と画像形成装置とがネットワークを介して互いに接続された印刷システムであって、原稿の印刷時に、音声広告出力あるいは広告印刷出力した場合に、コピー料金から広告料金を差し引く工程を有することを特徴とする印刷システム。
【図面の簡単な説明】
【００７９】
【図１】本発明の実施の形態である、情報処理装置、課金装置、画像形成装置を含む印刷システムを示す図である。
【図２】本発明の実施の形態における画像形成装置の外観を示す図である。
【図３】画像形成装置の内部の全体構成を示す断面図である。
【図４】操作部を示す図である。
【図５】ＬＣＤ表示を示す図である。
【図６】画像形成装置におけるスキャナ、プリンタの構成を示すブロック図である。
【図７】コントローラユニットの構成を示す図である。
【図８】課金装置の動作手順を表すフローチャートである。
【図９】画像形成装置の動作手順を表すフローチャートである。
【図１０】本発明の実施の形態である印刷システムの処理シーケンスの一例を示す図である。
【符号の説明】
【００８０】
２１０  課金装置（課金サーバ）
２２０  画像形成装置
１４０  操作部
１０３４  スピーカー
１０３５  ヘッドセット
２１００  音声入出力ユニット
【図１】
2005085044.tif 000003
【図２】
2005085044.tif 000004
【図３】
2005085044.tif 000005
【図４】
2005085044.tif 000006
【図５】
2005085044.tif 000007
【図６】
2005085044.tif 000008
【図７】
2005085044.tif 000009
【図８】
2005085044.tif 000010
【図９】
2005085044.tif 000011
【図１０】
2005085044.tif 000012